(57)【要約】【課題】  スクリーン面を押した場合に、面の撓みが小さくて済むロールスクリーン装置を提供する。【解決手段】  開口部に離間配設するガイドレールＧ１，Ｇ２に案内されてスクリーン部材２０が移動することにより前記開口部を開閉するロールスクリーン装置であって、前記スクリーン部材は、線状部材による直線部材を含み得る波状部材で構成され、屈曲の異なる複数種類の波状部材２０Ａ，２０Ｂを係合させた網目状の部材であり、最も屈曲の大きな波状部材２０Ｂ以外の波状部材２０Ａの長手方向両端部は前記ガイドレール内に挿入され、該端部には前記各ガイドレール内から抜け出ない抜け止め処理２０Ｎを施す。【選択図】        図２
2006233718.tif 000002
【特許請求の範囲】
【請求項１】
開口部に離間配設するガイドレールに案内されてスクリーン部材が移動することにより前記開口部を開閉するロールスクリーン装置であって、
前記スクリーン部材は、線状部材による直線部材を含み得る波状部材で構成され、屈曲の異なる複数種類の波状部材を係合させた網目状の部材であり、
最も屈曲の大きな波状部材以外の波状部材の長手方向両端部は前記ガイドレール内に挿入され、該端部には前記各ガイドレール内から抜け出ない抜け止め処理を施してある
ことを特徴とするロールスクリーン装置。
【請求項２】
前記複数種類の波状部材の中の、最も屈曲の小さな波状部材の長手方向端部に前記抜け止め処理がなされている請求項１記載のロールスクリーン装置。
【請求項３】
前記最も屈曲の小さな波状部材は略直線状の部材である請求項２記載のロールスクリーン装置。
【請求項４】
前記抜け止め処理を施した波状部材の厚さが、前記最も屈曲の大きな波状部材の厚さよりも小さく、前記各ガイドレールには、前記抜け止め処理を施した波状部材を支持する内部側のガイド溝と、前記最も屈曲の大きな波状部材を支持する外部側のガイド溝とを備えており、前記抜け止め処理を施した波状部材の長手方向端部は、他の波状部材の長手方向端部よりも延出して前記内部側のガイド溝に係止され、他の波状部材の長手方向端部は前記外部側のガイド溝に挿入されている請求項１〜３の何れか１記載のロールスクリーン装置。
【請求項５】
抜け止め処理を施してある種類の波状部材では、当該種類の波状部材の全てではなくて複数個毎に抜け止め処理を施している請求項１〜４の何れか１記載のロールスクリーン装置。
【発明の詳細な説明】
【技術分野】
【０００１】
本発明は、建物の窓部屋側や車庫等の開口部に設け、外部からの不正侵入防止や、部屋側から外部への不用意な飛び出し防止等のように、防犯や安全のために設けたり、或いは単なる間仕切りとしてのロールタイプのスクリーン装置に関する。
【背景技術】
【０００２】
防犯や安全のために設けたスクリーン部材は、その目的からして、スクリーン面を押しても大きく撓まないことが望ましい。これに関連して、下記特許文献１では、ネット状のスクリーン部材の左右両辺部が左右のガイド支柱内へ入り込んでいるため、ネット面を押しても大きく撓まないという記載がある。このように、スクリーン部材の左右のガイドレールに入った部位を、該ガイドレール内において保持し、ガイドレールから外れないようにすることは従来から行われている。また、単なる間仕切りとしても撓みが少ない方が使い勝手がよく、外部で使用する場合、強い風圧を受けても撓みが少ないと、巻き取った場合に巻き皺が防止でき、好ましい。
【特許文献１】実用新案登録第２５５７９９４号公報
【発明の開示】
【発明が解決しようとする課題】
【０００３】
然しながら、スクリーン部材の両縁部をガイドレールから外れないように拘束していても、線状部材を波打たせた網目状のスクリーン部材の場合は、スクリーン面を強く押せば波打ち形状が変形する、即ち、屈曲が小さくなって、波打ち形状が直線の線部材に戻る方向に変形することによってスクリーン面の撓み性が大きくなってしまう。
従って解決しようとする課題は、スクリーン面を押した場合に、面の撓みが小さくて済むロールスクリーン装置の提供を目的とする。
【課題を解決するための手段】
【０００４】
請求項１に係る発明では、開口部に離間配設するガイドレールに案内されてスクリーン部材が移動することにより前記開口部を開閉するロールスクリーン装置であって、前記スクリーン部材は、線状部材による直線部材を含み得る波状部材で構成され、屈曲の異なる複数種類の波状部材を係合させた網目状の部材であり、最も屈曲の大きな波状部材以外の波状部材の長手方向両端部は前記ガイドレール内に挿入され、該端部には前記各ガイドレール内から抜け出ない抜け止め処理を施してあることを特徴とするロールスクリーン装置を提供する。
波の屈曲程度の小さな極限が直線であるため、波状部材が直線部材の場合も有り得る。抜け止め処理としては、波状部材の端部を玉結びにした形態や別の係止部材を溶接やカシメによって固定したものがある。
【０００５】
請求項２では、前記複数種類の波状部材の中の、最も屈曲の小さな波状部材の長手方向端部に前記抜け止め処理がなされている請求項１記載のロールスクリーン装置を提供する。
【０００６】
請求項３では、前記最も屈曲の小さな波状部材は略直線状の部材である請求項２記載のロールスクリーン装置を提供する。
請求項４では、前記抜け止め処理を施した波状部材の厚さが、前記最も屈曲の大きな波状部材の厚さよりも小さく、前記各ガイドレールには、前記抜け止め処理を施した波状部材を支持する内部側のガイド溝と、前記最も屈曲の大きな波状部材を支持する外部側のガイド溝とを備えており、前記抜け止め処理を施した波状部材の長手方向端部は、他の波状部材の長手方向端部よりも延出して前記内部側のガイド溝に係止され、他の波状部材の長手方向端部は前記外部側のガイド溝に挿入されている請求項１〜３の何れか１記載のロールスクリーン装置を提供する。
上記厚みは、業界では見込み寸法とも言う。
請求項５では、抜け止め処理を施してある種類の波状部材では、当該種類の波状部材の全てではなくて複数個毎に抜け止め処理を施している請求項１〜４の何れか１記載のロールスクリーン装置を提供する。
【発明の効果】
【０００７】
請求項１における屈曲は直線に対する曲り度合いであるが、屈曲に代えて波の高さの大小でも表現できる。この屈曲の異なる複数種類の波状部材を有し、最も屈曲の大きな波状部材以外の波状部材の長手方向端部に抜け止め処理を施している。即ち、屈曲の小さな波状部材の端部をガイドレール内からの抜けを防止しているので、スクリーン面を押した場合に、各波状部材の波が伸び切る範囲内でスクリーン部材が押された方向に撓む可能性があるが、上記の抜け止め処理された屈曲の小さな波状部材が伸びたとしても、その屈曲は小さく、伸びの可能な範囲は小さい。従って、スクリーン部材の撓みは小さく規制される。
【０００８】
請求項２では、最も屈曲の小さな波状部材を抜け止め処理しているため、スクリーン部材の撓みは最も小さく規制できる。
【０００９】
請求項３では、抜け止め処理を施すのが略直線状部材であると、本来的に波状の伸びは殆ど無く、それだけスクリーン部材の撓みを強く規制できる。
【００１０】
請求項４では、波状部材の厚さ（見込み寸法）は、通常は、屈曲の大きい波状部材の方が大きく、こうした場合、全ての波状部材の長手方向端部位置を同じ位置にすると、抜け止めのためには、抜け止め処理の厚さ寸法（見込み寸法）を、より屈曲の大きな波状部材の厚さよりも大きくする必要が生じる。しかし、こうすると、スクリーン部材を巻き取った際に、その抜け止め処理を施した部位では他の領域よりも巻取り径が大きくなり、巻き皺の原因となる。これを防止すべく、抜け止め処理を施した波状部材の長手方向端部を、他の波状部材長手方向端部よりも延出させ、抜け止め処理の厚さ寸法を小さくできるように構成し、これにより抜け止め処理を施した部位と他の部位との巻取り径の差を小さくでき、巻き皺を防止できる。
請求項５では、複数個毎に抜け止め処理を施しているため、必要以上の抜け止め処理を施す必要が無くてその分低コスト化できる。
【発明を実施するための最良の形態】
【００１１】
以下、本発明を図面を用いて詳細に説明する。図１は本発明に係るロールスクリーン装置の正面図であり、図２はその上部の拡大図、図３は主要部の側面図、図４はスクリーン部材を巻き取った状態の側面図、図５は下枠部材とガイドレールとを含む拡大横断面図である。建物開口部の上枠部に対してブラケット部材２２を介して取り付け、スクリーン部材２０を巻き取る巻取り軸１２を水平状態に懸架している。また、スクリーン部材を巻き取って収納する空間を確保する収納ケース１０も、前記ブラケット部材と共に上枠部にねじで装着固定している。
【００１２】
スクリーン部材２０は、ここでは主として防犯並びに安全を目的としているため、ステンレス等の金属製の線状部材を使用したネット構造のスクリーンとしている。ネット状の場合は、昼間に使用しても外部からの採光が可能である利点がある。このスクリーン部材２０の左右縁部は、ガイドレールＧ１，Ｇ２によって上下方向移動が円滑に案内されるように構成されている。また、スクリーン部材の下縁部には、左右方向に長い下枠部材３０が取り付けられ、下縁部はこれに保持されている。この下枠部材の重量によってスクリーン部材の巻き下しが容易になる他、スクリーン部材を平面状に保持しやすくなる。部材２４はスクリーン部材の巻取りや巻き戻し操作用の操作チェーンである。
【００１３】
巻取り軸１２はアルミニウム等の金属や合成樹脂製の筒体構造であり、その横断面外郭形状は正六角形を基本とし、１８０度反対位置において互いに対向する１組の頂点、即ち、２つの頂点の近くを平面１２Ｈにした八角形を成している。一方、この巻取り軸１２の外側には、金属製線状部材を螺旋状に巻き付けた形態の取付部材１４が配設されている。この取付部材の長手方向端から見た内周と外周の輪郭形状は正六角形である。例えば直径が２ｍｍ程度の金属製線状部材で構成すれば、その剛性によって、使用中その正六角形の形状が維持される。
【００１４】
更には、この取付部材の内周輪郭は、巻取り軸の外郭の基本形状である既述の正六角形と実質同じ寸法（僅かに大きな寸法）の正六角形であり、図３や図４に示すように、巻取り軸１２の外郭の前記正六角形の辺をそのまま残している辺と、取付部材１４の内周輪郭正六角形の辺とが対面している。従って、巻取り軸１２をその軸芯Ｌ１の回りに回転させると、外側の取付部材１４は連れ回りを生じ、共に回転する。従って、スクリーン部材２０を巻き取ったり、巻き戻すことができる。このことを数式的に表現すると、巻取り軸の外周輪郭における、軸芯Ｌ１を通る径の中の最大寸法が、取付部材内周輪郭における軸芯Ｌ１位置を通る径の中の最小寸法よりも大きいということである。
【００１５】
この例でのスクリーン部材２０は、線状部材を波打たせた２種類の波状部材２０Ａ，２０Ｂをその長手方向が左右方向に指向するように配し、これらを上下方向に交互に配交しつつ互いに係合させて構成している。波状部材２０Ａの屈曲は、他の種類の波状部材２０Ｂの屈曲よりも小さい。更には、この例では、各波状部材の波ピッチは全て同じ一定値としており、これにより低コストに製造できる。一方、巻取り軸１２の外周輪郭の前記平面１２Ｈと、この平面に対面している取付部材内周輪郭の頂点部領域との間には、２箇所の三角形状の空間１６が形成されている。この空間の一方を使用し、取付部材１４に対して、スクリーン部材２０の上縁部を成す屈曲の小さい波状部材２０Ａを係合させている。この例では、取付部材１４は、波状部材２０Ａ，２０Ｂと同じピッチの螺旋状であるが、このピッチの整数倍の螺旋としてもよい。
【００１６】
このロールスクリーン装置の製造、組立においては、ネット状のスクリーン部材２０を製造する工場において、線状部材を所定の板部材等の治具に巻回する等の手法によって各波状部材を製造するが、それと同様な手法により、即ち、横断面が正六角形の軸杆治具に線状部材を巻回する等の手法によって取付部材１４を製造できる。従って、スクリーン部材も取付部材も、同じ工場で、同じようにして製造でき、互いを係合させる手法も同様にでき、効率的に製造できる。従って、低コストで製造可能となる。こうして、スクリーン部材２０と取付部材１４とを互いに係合させておき、巻取り軸１２と共に現場へ運び、その現場では、単に巻取り軸１２を取付部材１４に挿入するだけで組み立てができる。
【００１７】
また、取付部材１４を巻取り軸１２に対して組み付けた場合に、該取付部材の各端が巻取り軸の両端部外側に配設されたフランジ部１２Ｆ，１２Ｆに対して当接する長さとなるよう取付部材１４を製造すると、組み付け後のスクリーン部材２０の左右方向位置が定まり、都合がよい。なお、以上説明したスクリーン部材の上縁部の巻取り軸への装着構造として取付部材１４を介在させたのと同様な構造を、下枠部材３０とスクリーン部材の下縁部の取り付けにおいて採用してもよい。即ち、下枠部材内に、巻取り軸と類似の軸杆の外側に螺旋状取付部材を巻装したものを内挿し、この取付部材にスクリーン部材の下縁部を係合させる構造を採用してもよい。
【００１８】
図５に示すように、下枠部材３０の左右各端部は合成樹脂材のカバー部材３０Ａが装着されており、このカバー部材の一部がガイドレール側に突出しており、この突部がガイドレールＧ２に挿入配設され、前記突部との摩擦が小さくなる材料による外部のガイド溝としての接触レール部材Ｇ２Ａに接触しつつ上下方向にガイドされる。他方のガイドレールＧ１側も同様である。一方、スクリーン部材２０の、屈曲の小さな波状部材２０Ａの２個に１個の割合で、その両端部にカシメ又は溶接によって抜け止め部材２０Ｎが固定されている。この抜け止め部材は、ガイドレールＧ２（Ｇ１も同様）の中に配設固定され、内部側ガイド溝としてのインナーレールＧ２Ｂの中に入って係止している。このインナーレールの開口Ｋ２は、前記接触レール部材間の開口Ｋ１よりも狭く、抜け止め部材２０Ｎはその径（厚さ又は見込み寸法）がこの開口Ｋ２よりも大きいため、スクリーン部材が押されて波状部材２０Ａの長手方向に引張る力が作用しても、この開口部に係止し、抜け出ない。
【００１９】
なお、このインナーレールＧ２Ｂにまで延出しているのは、波状部材２０Ａの中の、抜け止め部材２０Ｎが固定されている部材のみであり、その他の波状部材２０Ａ，２０Ｂはインナーレールにまでは至っておらず、外部側のガイド溝である開口Ｋ１の位置までである。
図６は下枠部材３０の存在に拘わらず、抜け止め処理を施した波状部材２０Ａとその他の波状部材２０Ａ，２０Ｂと抜け止め部材２０Ｎとの厚さ関係を明示し、その他は略示した図である。波状部材２０Ｂは広い開口Ｋ１の接触レール部材Ｇ２Ａに支持され、波状部材２０Ａは狭い開口Ｋ２のインナーレールＧ２Ｂに支持され、抜け止め部材２０Ｎの厚さＴ２は開口Ｋ２よりも大きい。従って、風や人の荷重等により、スクリーン部材に力が加わると、スクリーン部材は接触レール部材Ｇ２Ａに支持されて見込み方向の移動（ガタ）が規制される。
【００２０】
また、上記荷重により発生する長手方向の引張力に対しては、抜け止め部材２０Ｎの厚さＴ２が開口Ｋ２よりも大きいため抜け出ることは無い。厚さＴ２は開口Ｋ２よりも大きければ良く、屈曲の大きな波状部材２０Ｂの厚さＴ３よりも小さくできる。但し、厚さＴ２は厚さＴ３と同じにすることもできる。従って、上記図５の場合でも図６の場合でも同様であるが、抜け止め処理を施した部位を、その他の波状部材の端部位置よりも延出させることで、抜け止め処理の厚さ寸法Ｔ２を小さくでき、これにより抜け止め処理を施した部位と他の部位との巻取り径の差を小さくでき、巻き皺が防止できる。
【００２１】
スクリーン部材２０は、その下縁部において、カバー部材３０Ａの突部と接触レール部材Ｇ２Ａとの相対滑りにより、ガイドレールに沿って上下方向に案内される。一方、スクリーン部材がその面を撓ませる方向に押された場合に、該スクリーン部材の面を撓み難く規制するために、抜け止め部材２０ＮとインナーレールＧ２Ｂとが設けられている。この抜け止め部材２０Ｎが固定されている波状部材２０Ａは概ね線状の部材であり、他の種類の波状部材２０Ｂよりも屈曲が小さい。従って、スクリーン部材が押された場合に抜け止め部材２０Ｎがインナーレールの開口部に引っ掛り、波状部材２０Ａが長手方向に引張力を受けて引き伸ばされるが、波状部材２０Ａの屈曲状態が引き伸ばされて緩み得る寸法は、他の波状部材２０Ｂのそれよりも小さい。従って、屈曲の大きな他の波状部材２０Ｂの両端部に抜け止め部材２０Ｎを装着した場合よりも、スクリーン面は撓み難い。
【００２２】
上記例では、スクリーン部材２０は２種類の波状部材で形成しているが、３種類以上であってもよい。この場合、最も屈曲の大きな波状部材以外であれば、その両端部に抜け止め部材２０Ｎを設ければよい。しかし、最も撓み規制の効果が高いのは、最も屈曲の小さな波状部材の両端部に設けることである。また、各波状部材の波状ピッチは一定値でなくてもよい。更には、例えば、３種類の波状部材を使用している場合、最も屈曲の大きな波状部材を除く他の２種類の波状部材の両端部に抜け止め部材２０Ｎを設けてもよい。４種類以上の場合も同様である。なお、抜け止め部材を装着する波状部材は波状部材２０Ａの全てではない場合は、スクリーン部材がその面を撓ませる方向に押された場合に、スクリーン部材左右縁部において、夫々の縁側にある抜け止め部材を設けた上下位置の波状部材の間に位置する他の波状部材の端部がガイドレールＧ２（Ｇ１）から抜け出ない程度に分散配置させるとよい。
【００２３】
また、上記例では、各波状部材は巻き取り軸の長手方向に沿ってその長さ方向が指向しており、スクリーン部材を巻き取った際には隣接波状部材の境界部である係合部において折れ曲り易い。従って、かさばらないで巻き取れる。しかし、各波状部材の長手方向が、巻取り軸の長手方向に対して傾斜していてもよい。
【００２４】
また以上の例では、螺旋状の取付部材１４は線状部材で形成しているが、帯状部材でもよい。また、巻取り軸１２の外郭を八角形とし、取付部材１４の内郭を正六角形としているが、夫々他の適宜な多角形でもよく、また、円弧や楕円を使用した適宜な形状にすることもできる。要は、断面非円形にし、巻取り軸を回転させた場合に、取付部材が連れ回り回転すればよい。また、巻取り軸を３６０度未満の所定角度回転させる間は取付部材が連れ回りせず、その後の回転で連れ回り開始する形態であってもよい。
【００２５】
更には、上記の隙間空間１６が無く、取付部材１４に適宜な係止部材を溶接等によって一体装着しておき、スクリーン部材２０の上縁部をこの係止部材に係合させる構造でもよい。また、上記例では、スクリーン部材を上下方向に巻取ったり巻き戻す構造を説明したが、これを左右方向に巻き取ったり巻き戻すように、即ち、巻取り軸１２の軸芯Ｌ１が上下方向に指向するように取り付けてもよい。この場合、ガイドレールも左右方向指向であり、スクリーン部材の上下縁部において抜け止め部材２０Ｎを装着固定する。
【産業上の利用可能性】
【００２６】
本発明は、建物の窓の部屋側や車庫等の開口部に設け、外部からの不正侵入防止や、部屋側から外部への不用意な飛び出し防止等のように、防犯や安全のために設けたり、或いは単なる間仕切りとしてのロールタイプのスクリーン装置として利用できる。
【図面の簡単な説明】
【００２７】
【図１】図１は本発明に係るロールスクリーン装置の正面図である。
【図２】図２は図１の装置上部の拡大図である。
【図３】図３は主要部の側面図である。
【図４】図４はスクリーン部材を巻き取った場合の側面図である。
【図５】図５は下枠部材とガイドレールとを含む拡大横断面図である。
【図６】図６は図５に代わる他の略示横断面図である。
【符号の説明】
【００２８】
１２                    巻取り軸
１４                    取付部材
２０                    スクリーン部材
２０Ｎ                  抜け止め部材
Ｇ１，Ｇ２              ガイドレール
【図１】
2006233718.tif 000003
【図２】
2006233718.tif 000004
【図３】
2006233718.tif 000005
【図４】
2006233718.tif 000006
【図５】
2006233718.tif 000007
【図６】
2006233718.tif 000008